(57)【特許請求の範囲】
【請求項１】
第１のアンテナ及び第２のアンテナを有し、前記第１のアンテナ及び前記第２のアンテナから交互に副帯域にわたって周波数ホッピングされたサウンディング基準信号を送信先へ送信する送受信機のアンテナ選択方法において、
前記副帯域の数が偶数であるか奇数であるかを判断する判断ステップと、
前記判断ステップの判断結果に基づいて、前記副帯域の数が偶数である場合には、前記サウンディング基準信号を同じアンテナから連続して送信する部分を含む方式で送信する送信ステップと、
を備えた送受信機のアンテナ選択方法。
【請求項２】
前記連続とは、２回連続である
請求項１に記載の送受信機のアンテナ選択方法。
【請求項３】
前記送信ステップにおいて前記送信先へ送信された前記サウンディング基準信号に対する応答信号を受信する受信ステップ、
をさらに備えた請求項１または請求項２に記載の送受信機のアンテナ選択方法。
【請求項４】
前記応答信号とは、前記第１のアンテナまたは前記第２のアンテナを指定した信号である
請求項３に記載の送受信機のアンテナ選択方法。
【発明の詳細な説明】
【技術分野】
【０００１】
本発明は、包括的には無線通信ネットワークにおけるアンテナ選択に関し、より詳細には、周波数ホッピングされたサウンディング基準信号を用いてアンテナを選択することに関する。
【背景技術】
【０００２】
ＯＦＤＭＡ及びＳＣ−ＯＦＤＭＡ
第３世代（３Ｇ）無線セルラ通信標準規格及び３ＧＰＰロングタームエボリューション（ＬＴＥ：ｌｏｎｇ  ｔｅｒｍ  ｅｖｏｌｕｔｉｏｎ）標準規格のような無線通信ネットワークにおいて、固定帯域幅チャネルにおける複数のユーザのための複数のサービス及び複数のデータレートを同時にサポートすることが望まれている。１つの方式は、現在のチャネル推定値に基づく伝送の前に、シンボルを適応的に変調及び符号化する。直交周波数分割多元接続（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅｘｅｄ  ａｃｃｅｓｓ）を使用する、ＬＴＥにおいて利用可能な別の選択肢は、異なるユーザ又はＵＥｓ（ユーザ機器（ｕｓｅｒ  ｅｑｕｉｐｍｅｎｔ）、移動局（ｍｏｂｉｌｅ  ｓｔａｔｉｏｎ）、又は送受信機（ｔｒａｎｓｃｅｉｖｅｒ））に対して異なるサブキャリア又はサブキャリアのグループを割り当てることによって、マルチユーザ周波数ダイバーシティを活用することである。ＬＴＥの単一キャリア周波数分割多元接続（ＳＣ−ＦＤＭＡ：ｓｉｎｇｌｅ  ｃａｒｒｅｒ−ｒｅｑｕｅｎｃｙ  ｄｉｖｉｓｉｏｎ  ｍｕｌｔｉｐｌｅ  ａｃｃｅｓｓ）アップリンクでは、各ユーザにおいて、シンボルがまず共に離散フーリエ変換（ＤＦＴ：Ｄｉｓｃｒｅｔｅ  Ｆｏｕｒｉｅｒ  Ｔｒａｎｓｆｏｒｍ）行列を用いて拡散され、次に異なるサブキャリアに割り当てられる。ネットワーク帯域幅は、たとえば１．２５ＭＨｚ〜２０ＭＨｚで変動し得る。ネットワーク帯域幅は、多数のサブキャリア、たとえば１０ＭＨｚ帯域幅に対して１０２４個のサブキャリアに分割される。
【０００３】
以下の標準化文書、すなわち３６．２１１，３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  Ｃｈａｎｎｅｌｓ  ａｎｄ  Ｍｏｄｕｌａｔｉｏｎ（（Ｒｅｌｅａｓｅ  ８），ｖ  １．０．０（２００７−０３））と、Ｒ１−０１０５７「Ａｄａｐｔｉｖｅ  ａｎｔｅｎｎａ  ｓｗｉｔｃｈｉｎｇ  ｆｏｒ  ｒａｄｉｏ  ｒｅｓｏｕｒｃｅ  ａｌｌｏｃａｔｉｏｎ  ｉｎ  ｔｈｅ  ＥＵＴＲＡ  ｕｐｌｉｎｋ」（Ｍｉｔｓｕｂｉｓｈｉ  Ｅｌｅｃｔｒｉｃ／Ｎｏｒｔｅｌ／ＮＴＴ  ＤｏＣｏＭｏ，３ＧＰＰ  ＲＡＮ１＃４８，Ｓｔ．Ｌｏｕｉｓ，ＵＳＡ）と、Ｒ１−０７１１１９「Ａ  ｎｅｗ  ＤＭ−ＲＳ  ｔｒａｎｓｍｉｓｓｉｏｎ  ｓｃｈｅｍｅ  ｆｏｒ  ａｎｔｅｎｎａ  ｓｅｌｅｃｔｉｏｎ  ｉｎ  Ｅ−ＵＴＲＡ  ｕｐｌｉｎｋ」（ＬＧＥ，３ＧＰＰ  ＲＡＮ１＃４８，Ｓｔ．Ｌｏｕｉｓ，ＵＳＡ）と、「Ｃｏｍｐａｒｉｓｏｎ  ｏｆ  ｃｌｏｓｅｄ−ｌｏｏｐ  ａｎｔｅｎｎａ  ｓｅｌｅｃｔｉｏｎ  ｗｉｔｈ  ｏｐｅｎ−ｌｏｏｐ  ｔｒａｎｓｍｉｔ  ｄｉｖｅｒｓｉｔｙ（ａｎｔｅｎｎａ  ｓｗｉｔｃｈｉｎｇ  ｗｉｔｈｉｎ  ａ  ｔｒａｎｓｍｉｔ  ｔｉｍｅ  ｉｎｔｅｒｖａｌ（ＴＴＩ））」（Ｍｉｔｓｕｂｉｓｈｉ  Ｅｌｅｃｔｒｉｃ，３ＧＰＰ  ＲＡＮ１＃４７ｂｉｓ，Ｓｏｒｒｅｎｔｏ，Ｉｔａｌｙ）とが適用可能である。基地局（ＢＳ：ｂａｓｅ  ｓｔａｔｉｏｎ）は、３ＧＰＰ標準規格に従って強化され、「次世代ノードＢ（Ｅｖｏｌｖｅｄ  ＮｏｄｅＢ）」（ｅＮｏｄｅＢ）と呼ばれる。用語ＢＳ及びｅＮｏｄｅＢを交換可能に使用する。
【０００４】
多入力多出力（ＭＩＭＯ）
フェージングチャネル環境における無線通信ネットワークの容量をさらに増大させるために、多入力多出力（ＭＩＭＯ：ｍｕｌｔｉｐｌｅ−ｉｎｐｕｔ−ｍｕｌｔｉｐｌｅ−ｏｕｔｐｕｔ）アンテナ技術を使用して、帯域幅を増大させることなくネットワークの容量を増大させることができる。異なるアンテナのためのチャネルは、かなり異なり得るため、ＭＩＭＯは、フェージングに対するロバスト性を増大させて、また、複数のデータストリームが同時に伝送されることを可能にする。
【０００５】
その上、空間多重化方式において、又は時空間トレリス符号を用いて、受信される信号を処理することは、複雑度がアンテナの数の関数として指数関数的に増大する可能性がある送受信機を必要とする。
【０００６】
アンテナ選択
ＲＦチェーンが相当により複雑で高価であるのに対して、アンテナは、比較的単純で安価である。アンテナ選択は、ＭＩＭＯネットワークに関連付けられる複雑度の欠点を或る程度低減する。アンテナ選択は、アンテナの数よりも少ない数のＲＦチェーンを使用することによって、送受信機内の送信機及び受信機のハードウェア複雑度を低減する。
【０００７】
アンテナ選択において、利用可能なアンテナのセットのサブセットがスイッチによって適応的に選択され、アンテナの選択されたサブセットのための信号のみが、送信又は受信のいずれかとすることができる、信号処理に利用可能なＲＦチェーンに接続される。本明細書において使用される場合、選択されたサブセットは、全ての事例において、アンテナのセット内の全ての利用可能なアンテナのうちの１つ又は複数を意味する。
【０００８】
パイロットトーンすなわち基準信号
アンテナの最適なサブセットを選択するために、最終的にはアンテナの選択された最適なサブセットのみが送信に使用されるとしても、アンテナの利用可能なサブセットに対応するチャネルを推定する必要がある。
【０００９】
これは、アンテナ選択信号、たとえば基準信号とも呼ばれるパイロットトーンを、異なる複数のアンテナ又はアンテナサブセットから送信することによって達成することができる。異なる複数のアンテナサブセットは、同じパイロットトーンを送信するか、又は異なるパイロットトーンを使用することができる。Ｎｔが送信アンテナの数を、Ｎｒが受信アンテナの数を表すものとし、Ｒｔ＝Ｎｔ／Ｌｔ及びＲｒ＝Ｎｒ／Ｌｒが整数であるものとする。その場合、利用可能な送信（受信）アンテナ素子は、Ｒｔ（Ｒｒ）個の別個のサブセットに分割することができる。パイロット反復手法は、Ｌｔ×ＬｒのＭＩＭＯネットワークに適切なトレーニングシーケンスをＲｔ×Ｒｒ回繰り返す。トレーニングシーケンスの各反復の間、送信ＲＦチェーンは、アンテナの異なる複数のサブセットに接続される。したがって、Ｒｔ×Ｒｒ回の反復の終了時に、受信機は、様々な送信アンテナから様々な受信アンテナまでの、全てのチャネルの完全な推定値を有する。
【００１０】
順方向リンク（チャネル）と逆方向リンク（チャネル）とが同一でない周波数分割複信（ＦＤＤ：ｆｒｅｑｕｅｎｃｙ  ｄｉｖｉｓｉｏｎ  ｄｕｐｌｅｘ）ネットワークにおける送信アンテナ選択の場合、送受信機は、アンテナの選択されたサブセットの最適なセットを送信機にフィードバックする。相互的（ｒｅｃｉｐｒｏｃａｌ）時分割複信（ＴＤＤ：ｔｉｍｅ  ｄｉｖｉｓｉｏｎ  ｄｕｐｌｅｘ）ネットワークでは、送信機は、独立して選択を実施することができる。
【００１１】
チャネルがゆるやかに変化する屋内ローカルエリアネットワーク（ＬＡＮ）の用途の場合、アンテナ選択を、媒体アクセス制御（ＭＡＣ：ｍｅｄｉａ  ａｃｃｅｓｓ  ｃｏｎｔｒｏｌ）層プロトコルを使用して実施することができる。ＩＥＥＥ８０２．１１ｎ無線ＬＡＮ仕様案、Ｉ．Ｐ８０２．１１ｎ／Ｄ１．０「Ｄｒａｆｔ  ａｍｅｎｄｍｅｎｔ  ｔｏ  Ｗｉｒｅｌｅｓｓ  ＬＡＮ  ｍｅｄｉａ  ａｃｃｅｓｓ  ｃｏｎｔｒｏｌ（ＭＡＣ）ａｎｄ  ｐｈｙｓｉｃａｌ  ｌａｙｅｒ（ＰＨＹ）ｓｐｅｃｉｆｉｃａｔｉｏｎｓ：  Ｅｎｈａｎｃｅｍｅｎｔｓ  ｆｏｒ  ｈｉｇｈｅｒ  ｔｈｒｏｕｇｈｐｕｔ」（Ｔｅｃｈ．Ｒｅｐ．，Ｍａｒｃｈ  ２００６）を参照されたい。
【００１２】
物理（ＰＨＹ）層プリアンブルを、追加のアンテナのためのさらなるトレーニングフィールド（反復）を含むように拡張する代わりに、異なる複数のアンテナサブセットによりパケットを送受信するためのコマンドを物理層に発行することによって、アンテナ選択トレーニングがＭＡＣ層において行われる。Ｌｔ×ＬｒのＭＩＭＯネットワークのための単一の標準規格トレーニングシーケンスであるトレーニング情報が、ＭＡＣヘッダフィールドに埋め込まれる。
【００１３】
ＬＴＥにおけるＳＣ−ＦＤＭＡ構造
基本的なアップリンク伝送方式は、３ＧＰＰ  ＴＲ  ２５．８１４，ｖ１．２．２「Ｐｈｙｓｉｃａｌ  Ｌａｙｅｒ  Ａｓｐｅｃｔｓ  ｆｏｒ  Ｅｖｏｌｖｅｄ  ＵＴＲＡ」に記載されている。この方式は、アップリンクユーザ間直交性を達成すると共に、受信機における効率的な周波数領域均等化を可能にする、サイクリックプレフィクス（ＣＰ：ｃｙｃｌｉｃ  ｐｒｅｆｉｘ）を用いる単一キャリア伝送（ＳＣ−ＦＤＭＡ）である。
【００１４】
広帯域サウンディング基準信号（ＳＲＳ）
広帯域ＳＲＳ（ｂｒｏａｄｂａｎｄ  ｓｏｕｎｄｉｎｇ  ｒｅｆｅｒｅｎｃｅ  ｓｉｇｎａｌｓ）は、ｅＮｏｄｅＢが、ユーザから該ｅＮｏｄｅＢへのアップリンクチャネルの周波数領域応答全体を推定するのに役立つ。これは、サブキャリアが、原則的に、そのサブキャリアに関する最良のアップリンクチャネル利得を有するユーザに割り当てられる周波数領域スケジューリングに役立つ。したがって、広帯域ＳＲＳは、たとえば５ＭＨｚ又は１０ＭＨｚのネットワーク帯域幅全体、又はｅＮｏｄｅＢによって確定されるその一部分を占有することができる。後者の場合、広帯域ＳＲＳは、ネットワーク帯域幅全体をカバーするために、複数の伝送にわたって周波数ホッピングされる。
【発明の概要】
【００１５】
本発明の実施の形態は、無線通信ネットワークにおけるアンテナ選択（ＡＳ：ａｎｔｅｎｎａ  ｓｅｌｅｃｔｉｏｎ）のための方法を説明する。ネットワークは、基地局と送受信機とを含み、該送受信機はアンテナのセットを有し、該送受信機は、一度にアンテナの１つのサブセットから、周波数ホッピングされたサウンディング基準信号（ＳＲＳ）を送信するように構成される。基地局は、副帯域の数及びアンテナのセット内のサブセットの数に基づいて、トレーニング送信のタイプを確定し、該タイプを含む命令を送受信機に送信する。
【００１６】
一実施の形態では、副帯域の数は、アンテナのセット内のサブセットの数の整数倍であり、タイプは実質的に交互の送信である。
【００１７】
別の実施の形態では、副帯域の数は、アンテナのセット内のサブセットの数の整数倍ではなく、タイプは交互の送信である。
【００１８】
一実施の形態では、送受信機は、トレーニング送信のタイプに関する知識を有し、命令に基づいてトレーニング送信を選択するように構成される。一実施の形態では、命令は、トレーニングパターンと、周波数ホッピングされたパターンとを含む。別の実施の形態では、命令は、周波数ホッピングされたパターンを含み、送受信機は、周波数ホッピングパターンに従って送信するように構成される。
【図面の簡単な説明】
【００１９】
【図１】本発明の実施の形態１による無線ネットワークのブロック図である。
【図２】本発明の実施の形態１によるアップリンクリソースグリッドのブロック図である。
【図３】本発明の実施の形態１によるリソースブロックのブロック図である。
【図４】本発明の実施の形態１によるアンテナを選択するための方法のブロック図である。
【図５】周波数ホッピングされたサウンディング基準信号（ＳＲＳ）送信のブロック図である。
【図６】周波数ホッピングされたサウンディング基準信号（ＳＲＳ）送信のブロック図である。
【図７】本発明の実施の形態１による周波数ホッピングされたＳＲＳを用いてアンテナのサブセットをトレーニングするための方法及びネットワークのブロック図である。
【図８】本発明の実施の形態１による周波数ホッピングされたサウンディング基準信号（ＳＲＳ）送信のブロック図である。
【図９】本発明の実施の形態１による周波数ホッピングされたサウンディング基準信号（ＳＲＳ）送信のブロック図である。
【発明を実施するための形態】
【００２０】
実施の形態１．
ＬＴＥネットワーク概観
図１は、本発明の実施の形態１によるＬＴＥ無線ネットワークの全体構造を示している。複数のユーザ機器（ＵＥ）又は移動送受信機１１１〜１１３が、固定基地局（ＢＳ）１１０と通信する。基地局は、送受信機も備える。
【００２１】
基地局は、ＬＴＥ標準規格において、次世代ノードＢ（ｅＮｏｄｅＢ）と呼ばれる。ｅＮｏｄｅＢ１１０は、無線チャネル又は無線接続１０１、１０２、１０３を使用して、セル内の送受信機との全ての通信を管理及び調整する。各接続は、基地局から送受信機へのダウンリンク（ＤＬ）又は送受信機から基地局へのアップリンクとして機能することができる。基地局において利用可能な送信電力は、送信機における送信電力よりも数桁大きいため、アップリンクにおける性能ははるかにより重大である。
【００２２】
無線通信を実施するために、ｅＮｏｄｅＢ及び送信機の双方が、少なくとも１つのＲＦチェーン及び複数のアンテナを設けられている。通常、アンテナの数及びＲＦチェーンの数は、ｅＮｏｄｅＢにおいて等しい。基地局におけるアンテナの数は、非常に大きい場合があり、たとえば８である。しかしながら、コスト、サイズ、及び電力消費に対する制限に起因して、移動送受信機は、通例、アンテナ１１５よりも少ないＲＦチェーンを有する。送受信機において利用可能なアンテナの数は、基地局と比較して相対的に小さく、たとえば、２又は４である。したがって、送受信機において、説明されるアンテナトレーニング及びアンテナ選択が適用される。
【００２３】
送受信機は、動作中、送信する送信ＲＦチェーン（複数可）間でアンテナを切り換える。通常、アンテナ選択は、送受信機において、利用可能なアンテナのセットからアンテナのサブセットを選択する。アンテナ選択は、アンテナ選択信号を生成及び送受信するために使用されるトレーニングを含む。本発明の実施形態によって、ネットワークが、送受信機を直交方式で異なる複数のＳＲＳ帯域幅に順応させること、及びＳＲＳシーケンスの限られたリソースを良好に使用することが可能になる。
【００２４】
ＬＴＥフレーム構造
アップリンク（送受信機からｅＮｏｄｅＢ）送信及びダウンリンク（ｅＮｏｄｅＢから送受信機）送信は、無線フレームに編成される。無線フレームは、１０ｍｓの長さであり、それぞれ持続期間が０．５ｍｓの２０個のスロット３０６から成る。２つの連続するスロットは、サブフレーム３０１を構成する。フレームは、時間領域内に２０個のサブフレームを含む。
【００２５】
図２は、ＳＣ−ＦＤＭＡ（単一キャリア周波数分割多元接続）アップリンクリソースグリッド２００の基本構造を示している。水平軸は、時間又はＳＣ−ＦＤＭＡシンボルを示し、垂直軸は、周波数又はサブキャリアを示している。サブキャリアの数は、ネットワーク帯域幅に依拠し、たとえば１．２５ＭＨｚ〜２０ＭＨｚの範囲をとり得る。
【００２６】
アップリンクリソースグリッドは、リソースエレメントから成る。各リソースエレメントは、サブキャリア及びＳＣ−ＦＤＭＡシンボルによって識別される。リソースエレメントは、リソースブロックにグループ化される。１つのリソースブロック（ＲＢ：ｒｅｓｏｕｓｅ  ｂｌｏｃｋ）は、１２個の連続するサブキャリア及び６個又は７個の時間的に連続したＳＣ−ＦＤＭＡシンボルから成る。ＳＣ−ＦＤＭＡシンボルの数は、サイクリックプレフィックス（ＣＰ）の長さに依拠する。通常のサイクリックプレフィックスの場合、ＳＣ−ＦＤＭＡシンボルの数は７に等しく、拡張サイクリックプレフィックスの場合、ＳＣ−ＦＤＭＡシンボルの数は６に等しい。
【００２７】
各サブフレームは、リソースブロックを構成する。詳細に関しては、差込図３００及び図３を参照されたい。本明細書及び特許請求の範囲の目的のために、用語サブフレーム及び送信時間間隔（ＴＴＩ：ｔｒａｎｓｍｉｔ  ｔｉｍｅ  ｉｎｔｅｒｖａｌ）を交換可能に使用する。
【００２８】
図３は、標準のサイクリックプレフィックスの場合のリソースブロック（ＲＢ）３００の構造を示している。垂直軸は周波数を示し、水平軸は時間を示す。周波数領域において、リソースブロックは、複数のサブキャリアを含む。時間領域において、ＲＢは、複数のＳＣ−ＦＤＭＡシンボルに分割される。ＳＣ−ＦＤＭＡシンボルは、データ３０３及び基準信号（ＲＳ）３１０を含むことができる。アップリンクにおいて２つのタイプのＲＳ、すなわちサウンディング基準信号（ＳＲＳ）３１１及び復調基準信号（ＤＭＲＳ：ｄｅｍｏｄｕｌａｔｉｏｎ  ｒｅｆｅｒｅｎｃｅ  ｓｉｇｎａｌｓ）３１０が使用される。
【００２９】
参照により本明細書に援用されるＴＳ３６．２１１  ｖ８．５．０のセクション５．５．１において説明されるように、ＳＲＳ及びＤＭＲＳは共に、Ｚａｄｏｆｆ−Ｃｈｕシーケンスのような一定振幅ゼロ自己相関（ＣＡＺＡＣ：ｃｏｎｓｔａｎｔ  ａｍｐｌｉｔｕｄｅ  ｚｅｒｏ  ａｕｔｏｃｏｒｒｅｌａｔｉｏｎ）シーケンスを使用して生成される。シーケンスの長さが、Ｚａｄｏｆｆ−Ｃｈｕシーケンスに可能な長さと等しくない場合、所望の長さに近く且つ所望の長さ未満の長さのＺａｄｏｆｆ−Ｃｈｕシーケンスを循環的に拡張することによって、又は所望の長さに近く且つ所望の長さを超える長さのＺａｄｏｆｆ−Ｃｈｕシーケンスを切り捨てることによって、所望の長さのシーケンスが生成される。ＤＭＲＳは、通常のサイクリックプレフィックスの場合、第４のＳＣ−ＦＤＭＡシンボル内で送信され、拡張サイクリックプレフィックスの場合、第３のＳＣ−ＦＤＭＡシンボル内で送信される。ＳＲＳは、送信時に、ＴＳ  ３６．２１１  ｖ８．５．０．に記載されるような特殊なサブフレームの場合を除いて、一般的にサブフレームの最後のＳＣ−ＦＤＭＡシンボル内で送信される。しかしながら、本発明の実施形態は、ＲＳが送信されるＳＣ−ＦＤＭＡシンボルに依拠しない。
【００３０】
アンテナ選択
一般的に、ＲＳは、アンテナの異なる複数のサブセットから、ユーザデータと共に又は別個に送信される。ＲＳに基づいて、基地局は、チャネルを推定し、データ送信のためのアンテナの最適なサブセットを識別する。
【００３１】
図４は、本発明の実施の形態１によるアンテナ選択のための基本方法を示している。基地局１１０は、命令１５１、たとえば周波数ホッピングされたパターン、及びＲＳ１６１を送信するために使用するアンテナのサブセットを指定する。送受信機１０１は、命令１５１に従ってＲＳ１６１を送信する。
【００３２】
基地局は、受信したＲＳに基づいて、アンテナのサブセット１８１を選択する（１７０）。次に、基地局は、アンテナの選択されたサブセット１８１を送受信機に指示する（１８０）。続いて、送受信機１０１は、アンテナの選択されたサブセット１８１を使用してデータ１９１を送信する（１９０）。送受信機は、データの送受信のためにアンテナの同じサブセットを使用することもできる。
【００３３】
サウンディング基準信号（ＳＲＳ）
ＳＲＳは、通例、広帯域又は可変帯域幅の信号である。ＳＲＳによって、基地局がネットワークのために利用可能な全帯域幅、又はその一部分のみの周波数応答を推定することが可能になる。この情報によって、基地局が、アップリンク周波数領域スケジューリングのようなリソース割り当てを実施することが可能になる。本発明の実施形態によれば、ＳＲＳは、アンテナ選択にも使用される。
【００３４】
ＬＴＥのための別の選択肢は、周波数ホッピング（ＦＨ：ｆｒｅｑｕｅｎｃｙ  ｈｏｐｐｉｎｇ）パターンを使用してＳＲＳを送信することである。具体的には、所定の周波数ホッピングパターンに基づいて、ネットワーク帯域幅よりも小さい帯域幅、すなわち副帯域を用いてホッピングＳＲＳが送信される。複数の送信にわたってホッピングされたＳＲＳは、ネットワークのために利用可能な全帯域幅の大部分さらには全利用可能な帯域幅に及ぶ。周波数ホッピングを用いると、送受信機がトレーニング中に互いに干渉する確率が減少する。
【００３５】
しかしながら、不適当に実施される場合、周波数ホッピングされた可変帯域幅ＳＲＳを用いたアンテナ選択の結果として、特に送受信機が急速に動いている場合に、性能改善が制限されることとなる。たとえば、図５に示すように、アンテナＴｘ１の全ての副帯域が、周波数ホッピングされたＳＲＳによって連続的にサウンディングされる。その後、影付きのブロックによって示されるように、アンテナＴｘ２の副帯域が同様に連続的にサウンディングされる。しかしながら、この周波数領域アンテナ選択トレーニングパターンから得られるチャネル推定値は、急速に期限切れになる。
【００３６】
図６は、周波数ホッピングされたＳＲＳがアンテナの利用可能なサブセットから交互に送信されるサブフレームを示している。たとえば、送受信機は、アンテナの２つのサブセット、すなわちＴｘ１  ２１０及びＴｘ２  ２２０からＳＲＳを交互に送信する。利用可能な帯域幅２４０は、ＳＲＳが４つの送信２５０を用いて帯域幅をカバーするように、４つの副帯域２４１〜２４４に分割される。副帯域は、１つ又は複数のＲＢを占めることができることに留意されたい。
【００３７】
図６からわかるように、この送信シナリオでは、副帯域２４１及び２４３のためのＳＲＳは、常にアンテナＴｘ１のサブセットから送信され、副帯域２４２及び２４４のためのＳＲＳは、常にアンテナＴｘ２のサブセットから送信される。したがって、送受信機は、アンテナの利用可能なサブセット毎に全周波数領域にわたってチャネルを推定することができない。
【００３８】
図７は、本発明の実施の形態１によるアンテナのサブセットから送信される周波数ホッピングされたＳＲＳを用いて、該アンテナのサブセットをトレーニングするための方法及びネットワーク７００を示している。本明細書及び特許請求の範囲の目的のために、本明細書において定義する場合、実質的に交互に送信することは、ＳＲＳがアンテナのセット内の各サブセットから交互に送信されるが、送信のためのサブセットスケジュールの順序が周期的に変更されることを意味している。
【００３９】
幾つかの実施形態では、アンテナのサブセット毎にインデックスを割り当てる。送受信機が送信のためにアンテナの特定のサブセットを選択することを指示するものとして、アンテナの「選択された」サブセット及び「選択されていない」サブセットも使用する。
【００４０】
たとえば、送受信機がアンテナのサブセットを２つ有する場合、インデックスは０及び１となる。したがって、交互に送信することによって、アンテナの選択されたサブセットのインデックスパターンは、［０，１，０，１，０，１，０，１．．．］となる。送受信機が送信のためにアンテナのサブセットを３つ以上使用する場合、アンテナの全てのサブセットが、サブセットのインデックスに従ってＳＲＳ信号を交互に送信する。たとえば、送受信機がアンテナのサブセットを３つ有する場合、アンテナの選択されたサブセットのインデックスパターンは、［０，１，２，０，１，２，０，１，２，０，１，２．．．］である。このように、周波数ホッピングされたＳＲＳを送信した後毎回、アンテナの選択されたサブセットのインデックスを切り換える。しかしながら、実質的に交互に送信する方法では、インデックスパターンは、たとえば［０，１，０，１，１，０，１，０，０，１．．．］となる。実質的に交互に送信する方法の場合、送信サブセットのためのインデックスを周期的に変更する、たとえばインデックスをシフトするか又は省くことに留意されたい。
【００４１】
アンテナの選択されたサブセットのインデックスａ（ｎＳＲＳ）は、ＳＲＳが送信されるサブフレーム番号ｎＳＲＳ及びアンテナのサブセットの数に依拠する。したがって、上記のインデックスパターンは、ａ（ｎＳＲＳ）とｎＳＲＳとの間の関数関係の形式で指定することができる。関数関係は、基地局インデックス、及びＳＲＳシーケンスの長さのようなパラメータであるが、それらに限定されない他のパラメータに依拠する。
【００４２】
帯域幅内の副帯域７１０の数と、トレーニングされる送信アンテナのサブセット７２０の数との間の関係に基づいて送信のタイプを確定する（７４０）。以下に詳細に説明するように、条件７３０において（ｉｆ  ７３０）、副帯域の数が送信アンテナの数の整数倍である場合（７３１）、ＳＲＳを実質的に交互に送信する（７６０）。たとえば、帯域幅の末尾に達する（７３５）と毎回アンテナインデックスを切り換える（７５０）。代替的な実施形態では、周波数ホッピングされたパターンの終了後又は開始時にアンテナインデックスを切り換える。条件７３０において、副帯域の数が送信アンテナの数の整数倍ではない場合（７３３）、ＳＲＳを交互に送信する（７７０）。
【００４３】
図８は、周波数ホッピングされたＳＲＳを交互に送信するための方法に関する図を示している。ＢＨｚ８１０の利用可能な帯域幅を、それぞれ（Ｂ／Ｎｆ）Ｈｚの帯域幅のＮｆ個の副帯域に分割する。副帯域の数が奇数、たとえばＮｆ＝５であり、且つアンテナのサブセットの数が偶数、たとえば２である場合、サブバンドの数は、送信アンテナの数の整数倍ではない。このため、２つのアンテナＴｘ１及びＴｘ２からの交互の送信は、結果として時間インタリーブされた周波数ホッピングパターンとなる。
【００４４】
図９は、周波数ホッピングされたＳＲＳを実質的に交互に送信するための方法に関する図を示している。この実施形態では、副帯域の数、すなわち４は、送信アンテナの数、すなわち２の整数倍である。したがって、送信が帯域幅、たとえば送信パターン９２０の末尾に達すると、アンテナのサブセットのインデックスを切り換える。このため、送信９３０の次のパターンは、サイクル９２０の場合のサブセットＴｘ１ではなく、アンテナのサブセットＴｘ２から開始する。
【００４５】
上記で説明したように、実施の形態１では、いずれのトレーニングパターンを使用するかの判断は基地局によって行われる。トレーニングパターンは、命令１５１の一部分として送受信機に送信される。代替的な実施形態では、送受信機は、可能なトレーニングパターンに関する知識を有し、命令１５１は使用するトレーニングパターンの識別情報のみを含む。
【００４６】
本発明を好ましい実施の形態の例として説明してきたが、本発明の精神及び範囲内で様々な他の適応及び変更を行うことができることは理解されたい。したがって、添付の特許請求の範囲の目的は、本発明の真の精神及び範囲内に入る全ての変形及び変更を包含することである。
【図１】
0005631425.tif 000002
【図２】
0005631425.tif 000003
【図３】
0005631425.tif 000004
【図４】
0005631425.tif 000005
【図５】
0005631425.tif 000006
【図６】
0005631425.tif 000007
【図７】
0005631425.tif 000008
【図８】
0005631425.tif 000009
【図９】
0005631425.tif 000010